(57)【要約】【課題】水で洗った後の濡れた手の水分を速やかに除去して乾燥させると同時に殺菌効果も高められるようにしたエアータオル装置を提供する。【解決手段】キャビネット１内に、電熱ヒータ７を有する送風機３と紫外線殺菌灯８とセンサ９とを備え、キャビネット１の下側には送風機３から送り出される温熱空気を吹き出すための吹出口６が開設され、吹出口６に接近させた手をセンサ９が感知することにより送風機３と紫外線殺菌灯８とが作動し、吹出口６から吹き出される温熱空気と紫外線殺菌灯８から照射される紫外線とが手に当たるようにし、吹出口６における温熱空気の温度を１００〜１６０度の範囲で設定しかつ吹出口６からの温熱空気の吹出速度を３５〜６５ｍ／ｓの範囲で設定し、紫外線殺菌灯８から照射される紫外線の波長を２００〜２８０ｎｍの範囲で設定した。【選択図】図２
0003157460.tif 000002
【実用新案登録請求の範囲】
【請求項１】
キャビネット内に、電熱ヒータを有する送風機と紫外線殺菌灯とセンサとを備え、前記キャビネットの下側には前記送風機から送り出される温熱空気を吹き出すための吹出口が開設され、前記吹出口に接近させた手を前記センサが感知することにより前記送風機と前記紫外線殺菌灯とが作動し、前記吹出口から吹き出される温熱空気と前記紫外線殺菌灯から照射される紫外線とが前記手に当たるようにしたエアータオル装置であって、
前記吹出口における前記温熱空気の温度を１００〜１６０度の範囲で設定しかつ前記吹出口からの温熱空気の吹出速度を３５〜６５ｍ／ｓの範囲で設定し、前記紫外線殺菌灯から照射される紫外線の波長を２００〜２８０ｎｍの範囲で設定するようにしたことを特徴とするエアータオル装置。
【考案の詳細な説明】
【技術分野】
【０００１】
本考案は、例えば、オフィイスビル、各種食品工場、病院・教育・介護施設などの建物内において、水で洗った手を乾燥させると共に殺菌することもできるエアータオル装置に関するものである。
【背景技術】
【０００２】
従来、水で洗った後の濡れた手から水分を除去するに、その簡便さからエアータオル装置が用いられている。該エアータオル装置は、例えば、循環空気を送り出す送風機と、該送風機の先端部に設けられ下方を向く吹出口と、該吹出口の下方に位置する乾燥部所と、該乾燥部所の背面に設けられるエア回収口と、該エア回収口とは別途前記吹出口の垂直下方位置にあり濡れた手から吹き飛ばされた水分のみを回収する水受け部と、を設けて構成される（例えば、特許文献１参照。）。そして、洗った後の濡れた手を前記乾燥部所に差し入れることにより、送風機が作動し吹出口から温熱空気が吹き出されて手のひら部分や手の甲部分に当たり、それら表面から水分が吹き飛ばされて手を乾燥するようにしている。因みに、手から吹き飛ばされた水分は水受け部に吸着され、残った温熱空気がエア回収口へと導かれ前記送風機に送り込まれるようになっている。
【０００３】
このようにエアータオル装置が使用されるのは、その簡便さの外に従来から行なわれているハンカチやタオルを用い水で洗った後の濡れた手から水分を拭き取る場合と比較して極めて衛生的であるという点が挙げられる。
【先行技術文献】
【特許文献】
【０００４】
【特許文献１】特開２０００−１３９７６８号公報（第２−３頁、図１）
【考案の概要】
【考案が解決しようとする課題】
【０００５】
しかしながら、前記特許文献１に係るエアータオル装置は、水で洗った後の濡れた手から水分を除去することができるものの、更に、一歩進んで殺菌も行なえるようにすれば、衛生上極めて好ましい。特に、前記手から吹き飛ばされた水分を吸着する水受け部は人体に害を与える雑菌の温床となる危険性がある。
【０００６】
そこで、本考案は上記課題に鑑みてなされたもので、水で洗った後の濡れた手の水分を速やかに除去して乾燥させると同時に殺菌効果も高められるようにしたエアータオル装置を提供することを目的とするものである。
【課題を解決するための手段】
【０００７】
かかる目的を達成するため、本考案のエアータオル装置は、キャビネット内に、電熱ヒータを有する送風機と紫外線殺菌灯とセンサとを備え、前記キャビネットの下側には前記送風機から送り出される温熱空気を吹き出すための吹出口が開設され、前記吹出口に接近させた手を前記センサが感知することにより前記送風機と前記紫外線殺菌灯とが作動し、前記吹出口から吹き出される温熱空気と前記紫外線殺菌灯から照射される紫外線とが前記手に当たるようにしたエアータオル装置であって、前記吹出口における前記温熱空気の温度を１００〜１６０度の範囲で設定しかつ前記吹出口からの温熱空気の吹出速度を３５〜６５ｍ／ｓの範囲で設定し、前記紫外線殺菌灯から照射される紫外線の波長を２００〜２８０ｎｍの範囲で設定するようにしたことを特徴とする。
【考案の効果】
【０００８】
本考案に係るエアータオル装置では、前記吹出口における温熱空気の温度が１００〜１６０度の範囲で設定されかつ吹出口からの温熱空気の吹出速度が３５〜６５ｍ／ｓの範囲で設定される。このように、水で洗った後の濡れた手に温度が高くかつ吹出速度の速い温熱空気が当たることになるので、手の水分は瞬時に吹き飛ばされ蒸発も早く、手の乾燥時間が早くなって便利であるという効果が有る。また、前記紫外線殺菌灯から照射される紫外線は、その波長が２００〜２８０ｎｍの範囲で設定され、すなわち短波紫外線が使用されることから強い殺菌効果が得られ、例えばノロウイルス、黄色ブドウ球菌、大腸菌Ｏ−１５７、サルモネラ菌といった人体に害を与える雑菌を完全に殺すことができ、これら雑菌によって発症する病気の予防にも寄与することができるという効果が有る。
【図面の簡単な説明】
【０００９】
【図１】本考案に係るエアータオル装置の外観斜視図。
【図２】同縦断側面図。
【考案を実施するための形態】
【００１０】
以下、本考案に係るエアータオル装置を実施するための最良の形態を図面に従って説明する。図１は本考案に係るエアータオル装置の外観斜視図、図２は同縦断側面図である。該エアータオル装置は、金属製のキャビネット１内に、モータ２により作動する送風機３が配置されている。該送風機３は吹出筒４が下向きに設けられており、その下端開口５がキャビネット１の下側であって該キャビネット１を正面から見たとき手前側に位置して開設された吹出口６と対向位置している。該吹出筒４内には、開口５側に寄せて電熱ヒータ７が設けられている。また、キャビネット１内の下辺部に紫外線殺菌灯８が配置され、その下方から斜め前側へ向かって照射されるようになっている。９は吹出口６付近に設けられ、該吹出口６に手を接近させたときその手を感知するようにしたセンサとしての光学式電子センサである。
【００１１】
前記キャビネット１の一側上部に、電源スイッチ１０が設けられる。また、その下方に、前記吹出口６から吹き出される温熱空気の温度を調節するための温度調節摘子１１が設けられている。
【００１２】
前記キャビネット１の外形寸法は、例えば、縦２８０ｍｍ、横３１４ｍｍ、奥行き１３６ｍｍである。前記吹出口６から吹き出される温熱空気の温度は、１００〜１６０度の範囲で調節して設定できるようになっており、通常は１３５度に設定される。また、吹出口６から吹き出される温熱空気の風速は、３５〜６５ｍ／ｓの範囲で設定できるようになっており、通常は５０ｍ／ｓに設定される。更に、前記紫外線殺菌灯８から照射される紫外線の波長は、２００〜２８０ｎｍ（ナノメーター）の範囲、すなわち短波紫外線の範囲で設定できるようになっている。この短波紫外線は強い殺菌力を有し、特に波長２５３．７ｎｍの紫外線が最も強い殺菌効果を得られることから、通常は紫外線の波長を２５３．７ｎｍに設定する。
【００１３】
前記モータとしては例えば高圧ブラシレスモータが使用され、７２００ｒｐｍの回転数が得られるようにしている。また、紫外線殺菌灯８としては、例えば６Ｗの殺菌灯が使用されている。
【００１４】
本考案に係るエアータオル装置は上記構成からなり、例えば、オフィイスビル、各種食品工場、病院・教育・介護施設などの建物内であって、人が生活または働く場所であれば、ほとんど全ての場所で使用することができる。そして、該エアータオル装置は吹出口６を下側に向けた状態で壁の所定高さ位置に装着される。
【００１５】
電源スイッチ１０をＯＮ動作させることによりエアータオル装置が使用できる状態となり、人が水で洗った後の濡れた手をエアータオル装置の吹出口６に接近させると、その手を光学式電子センサ９が感知する。そして、電熱ヒータ７が所定の温度に加熱されると共にモータ２が駆動して送風機３が作動し、吹出口６から１３５度の温熱空気が５０ｍ／ｓの吹出速度で吹き出され手に当たる。これにより、濡れた手が短時間で乾燥すると同時に紫外線殺菌灯８から短波紫外線を受けることになるので、その殺菌力により手に付着している雑菌がすべて死滅することになる。本考案のエアータオル装置では、濡れた手が９〜１３秒といった驚異的な時間で乾燥する。
【００１６】
本考案に係るエアータオル装置によれば、吹出口６における温熱空気の温度が１００〜１６０度の範囲で設定されかつ吹出口６からの温熱空気の吹出速度が３５〜６５ｍ／ｓの範囲で設定されている。このように、水で洗った後の濡れた手に温度が高くかつ吹出速度の速い温熱空気が当たることになるので、手の水分は瞬時に吹き飛ばされ蒸発も早く、手の乾燥時間が早くなって便利である。また、紫外線殺菌灯８から照射される紫外線は、その波長が２００〜２８０ｎｍの範囲、すなわち、短波紫外線が使用されることから、強い殺菌効果が得られ、例えばノロウイルス、黄色ブドウ球菌、大腸菌Ｏ−１５７、サルモネラ菌といった人体に害を与える雑菌を完全に殺すことができ、これら雑菌によって発症する病気の予防にも寄与することができる。
【符号の説明】
【００１７】
１              キャビネット
２              モータ
３              送風機
４              吹出筒
５              下端開口
６              吹出口
７              電熱ヒータ
８              紫外線殺菌灯
９              センサ（光学式電子センサ）
１０            電源スイッチ
１１            温度調節摘み
【図１】
0003157460.tif 000003
【図２】
0003157460.tif 000004